【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
無線ネットワークの無線ネットワークアーキテクチャにおいて通信を送受信するための１又はそれ以上の処理ユニット及びＲＦ回路を有するハブと、
各々が送信機機能及び受信機機能を備えた無線デバイスを有して前記無線ネットワークアーキテクチャ内の前記ハブとの双方向通信を可能にする複数のセンサノードと、
を具備し、
前記ハブの前記１又はそれ以上の処理ユニットが、命令を実行して、
繰り返されるハブのブロードキャストタイムスロットの間に、或るセンサノードに通知を送信すると、該或るセンサノードの受信機の第１の電力モードから第２の電力モードへの変更を生じさせる、
ように構成され、
前記或るセンサノードが、命令を実行して、
前記受信した通信に対するグループ識別子を決定し、
前記或るセンサノードに対するグループ識別子を決定し、
前記受信した通信に対する前記グループ識別子が前記或るセンサノードに対する前記グループ識別子と一致する場合に、該或るセンサノードからの通信の送信をキャンセルして、前記無線ネットワーク内の輻輳を低減する、
ように構成される、システム。
【請求項２】
前記通知が、前記ハブ又は異なるセンサノードから発信される、請求項１に記載のシステム。
【請求項３】
前記或るセンサノードの前記受信機機能が、第１の電力レベルにおいて、前記第１の電力モードの間にブロードキャストメッセージをリッスンするように構成され、動作可能な送信機機能を有する第２の電力レベルにおいて、前記第２の電力モードの間に動作可能である、請求項２に記載のシステム。
【請求項４】
前記或るセンサノードが、命令を実行して、
通知を送信し、
通知転送のために次のハブのブロードキャストスロットをチェックすることによりノードグループの通知の正常な受信を確認し、
正常な受信が確認されないときに、擬似ランダム関数の少なくとも１つの変更されたパラメータを有する通知を再送信する、
ように構成される、請求項１に記載のシステム。
【請求項５】
前記ハブの前記１又はそれ以上の処理ユニットが、命令を実行して、
或るグループ内のセンサノードが該或るグループ内の他のセンサノードと比較して同一のタイムスロットを有する可能性が低く、一方、異なる複数のグループ内のセンサノードが同一のタイムスロットを占有する可能性が高いことに基づいて、擬似ランダムスロット位置を使用して、前記複数のセンサノードのための送信タイムスロットを決定する、
ように構成される、請求項１に記載のシステム。
【請求項６】
前記ハブの前記１又はそれ以上の処理ユニットが、命令を実行して、
前記無線ネットワーク内の制御及びアラーム情報を含む通知のための第１の長さのタイムスロットと、データ通信のための第２の異なる長さのタイムスロットと、を決定する、ように構成される、請求項１に記載のシステム。
【請求項７】
装置であって
命令を記憶するためのメモリと、
無線ネットワークアーキテクチャにおいて複数のセンサノードを監視するための命令を実行する１又はそれ以上の処理ユニットと、
前記複数のセンサノードに通信を送信しかつ該複数のセンサノードから通信を受信する無線周波数（ＲＦ）回路であって、該複数のセンサノードの各々が送信機及び受信機を備えた無線デバイスを有して前記無線ネットワークアーキテクチャにおいて当該装置の前記ＲＦ回路との双方向通信を可能にする、ＲＦ回路と、
を具備し、
前記装置の前記１又はそれ以上の処理ユニットが、命令を実行して、
第１のグループのセンサノードからの第１のアップリンクアラームを含むアラーム情報を有する少なくとも１つの通信を受信し、
ある特定の期間の間に異なる第２のグループのセンサノードからの第２のアップリンクアラームを含むアラーム情報を有する追加の通信を受信することを待機することにより、ターゲットアラーム遅延を提供する、
ように構成される装置。
【請求項８】
当該装置の前記１又はそれ以上の処理ユニットが、命令を実行して、
前記第１のグループのセンサノードから受信した前記少なくとも１つの通信から固有のアラームを識別する、
ように構成される、請求項７に記載の装置。
【請求項９】
当該装置の前記１又はそれ以上の処理ユニットが、命令を実行して、
異なるグループのセンサノードに対する固有のアラームの複数のアラーム情報を、アラームパケットを有する通信に結合する、
ように構成される、請求項８に記載の装置。
【請求項１０】
当該装置の前記１又はそれ以上の処理ユニットが、命令を実行して、
第１のグループのセンサノードからの第１のアラーム情報を有する第１の複数の通信を受信し、
第２のグループのセンサノードからの第２のアラーム情報を有する第２の複数の通信を受信する、
ように構成される、請求項９に記載の装置。
【請求項１１】
当該装置の前記１又はそれ以上の処理ユニットが、命令を実行して、
ハッシュ関数を使用することにより、前記センサノードに送信される前記アラームパケットに対するダウンリンクアラームタイムスロットを割り当てる、
ように構成される、請求項１０に記載の装置。
【請求項１２】
前記装置の前記１又はそれ以上の処理ユニットが、命令を実行して、
繰り返されるハブのブロードキャストタイムスロットの間に前記アラーム情報を有する前記アラームパケットを或るセンサノードに送信すると、該或るセンサノードの受信機の第１の電力モードから第２の電力モードへの変更を生じさせる、
ように構成される、請求項１１に記載の装置。
【請求項１３】
無線ネットワークアーキテクチャのためのセンサノードであって、
少なくとも１つのセンサと、
命令を記憶するためのメモリと、
該メモリ及び前記少なくとも１つのセンサに結合された処理ロジックであって、前記少なくとも１つのセンサから受信したデータを処理し、当該センサノードのための通信を処理するための命令を実行する処理ロジックと、
該処理ロジックに結合され、前記無線ネットワークアーキテクチャにおいてハブに通信を送信しかつ該ハブからの通信を受信する送信機機能及び受信機機能を含む、無線周波数（ＲＦ）回路と、
を具備し、
前記処理ロジックが、命令を実行して、
前記ハブ又はセンサノードのグループから発信された制御又はアラーム情報を有する繰り返されるハブのブロードキャストタイムスロットの間に、前記ハブから前記制御又はアラーム情報を有する通信を受信すると、前記受信機機能の第１の低電力モードを第２の電力モードに変更し、
前記受信した通信に対するグループ識別子を決定し、
当該センサノードに対するグループ識別子を決定し、
前記受信した通信に対する前記グループ識別子が当該センサノードに対する前記グループ識別子と一致する場合に、当該センサノードからの通信の送信をキャンセルして、前記無線ネットワーク内の輻輳を低減する、
ように構成されるセンサノード。
【請求項１４】
前記制御又はアラーム情報が、前記ハブ又はセンサノードのグループから発信される、請求項１３に記載のセンサノード。
【請求項１５】
当該センサノードの前記受信機機能が、第１の電力レベルにおいて、前記第１の電力モードの間にブロードキャストメッセージをリッスンするように構成され、動作可能な送信機機能を有する第２の電力レベルにおいて、前記第２の電力モードの間に動作可能である、請求項１３に記載のセンサノード。
【請求項１６】
前記センサノードのグループは、該グループのセンサノードが略同時に又は近い時間に通信を送信する可能性を高めるように形成される、請求項１３に記載のセンサノード。
【請求項１７】
電池源で動作する、請求項１３に記載のセンサノード。
【請求項１８】
前記処理ロジックが、命令を実行して、
通信を送信し、
通知転送のために次のハブのブロードキャストスロットをチェックすることにより通信の正常な受信を確認し、
正常な受信が確認されないときに、擬似ランダム関数の少なくとも１つの変更されたパラメータを有する通信を再送信する、
ように構成される、請求項１３に記載のセンサノード。
【手続補正２】
【補正対象書類名】明細書
【補正対象項目名】００４８
【補正方法】変更
【補正の内容】
【００４８】
動作６０２では、ハブは、センサノードの少なくとも１つのグループからアラーム情報を有する通信を受信する。動作６０４では、ハブは、特定の期間中に追加のセンサノードおよび潜在的に異なるグループのセンサノードのからアラーム情報（例えば、アップリンクアラーム）を有する追加の通信を受信するのを待つことにより、目標アラーム遅延を提供する。
【手続補正３】
【補正対象書類名】明細書
【補正対象項目名】００７０
【補正方法】変更
【補正の内容】
【００７０】
一実施形態では、無線非対称ネットワークアーキテクチャを提供するための装置（例えば、ハブ）は、命令を格納するメモリと、無線非対称ネットワークアーキテクチャ内で通信を確立および制御するための命令を実行するハブの処理ロジック（例えば、１つ以上の処理ユニット、処理ロジック１５４４、処理ロジック１６６３、処理ロジック１６８８、処理ロジック１７６３、処理ロジック１８８８）と、無線非対称ネットワークアーキテクチャ内で通信を送受信するための複数のアンテナ（例えば、（１または複数の）アンテナ１５５２、（１または複数の）アンテナ１６７８、（１または複数の）アンテナ１６９９、アンテナ１３１１、１３１２、１３１３など）を含む無線周波数（ＲＦ）回路（例えば、ＲＦ回路１５５０、ＲＦ回路１６７０、ＲＦ回路１６９２、ＲＦ回路１８９０）とを含む。ＲＦ回路と複数のアンテナは、無線非対称ネットワークアーキテクチャ内の装置のＲＦ回路との双方向通信を可能にする送信機と受信機（またはトランシーバの送信機と受信機の機能）を備えた無線デバイスをそれぞれ有する複数のセンサノード（例えば、ノード１、ノード２）に通信を送信する。１つ以上の処理ユニットは、センサノードの少なくとも１つのグループのセンサノードからのアラーム情報を有する少なくとも１つの通信を受信し、ある特定の期間において追加のセンサノードおよび潜在的に異なるグループのセンサノードからのアラーム情報を有する追加の通信の受信を待機することにより、ターゲットアラーム遅延を提供するための命令を実行するように構成される。